(57)【要約】【課題】  障子が戸袋等の障子収納部に収納されていたり、あるいは他の障子と重なっている場合に、この障子を容易に引き出したり、移動させたりすることができる開口部装置を提供する。【解決手段】  枠体Ａと、この枠体Ａ内に左右方向に移動可能に設けられた障子Ｂ、Ｃとを備え、障子Ｂの戸先側の縦框１３には、その見込み面が他の障子Ｃの縦框２３の見込み面または障子収納部Ｄを形成する出入り口側の縦部分Ｅの見込み面と略面一である場合に、障子Ｂを引き出すための引き出し把手３０が内蔵されており、この引き出し把手３０は、係合解除用の操作部の操作により縦框１３の係合部との係合が解除されて、付勢部材の付勢力により前記見込み面から突出し、該引き出し把手３０を戸先側の縦框１３から引き出し可能となる。【選択図】      図１
2006265921.tif 000002
【特許請求の範囲】
【請求項１】
枠体と、この枠体内に左右方向に移動可能に設けられた障子とを備え、前記障子の戸先側の縦框には、その見込み面が他の障子の縦框の見込み面または障子収納部を形成する出入り口側の縦部分の見込み面と略面一である場合に、該障子を引き出すための引き出し把手が内蔵されており、この引き出し把手は、係合解除用の操作部の操作により縦框の係合部との係合が解除されて、付勢部材の付勢力により前記見込み面から突出し、該引き出し把手を前記戸先側の縦框から引き出し可能となることを特徴とする開口部装置。
【請求項２】
前記引き出し把手が前記戸先側の縦框から引き出されるのに連動して、前記戸先側の縦框から外部に突出し、前記戸先側の縦框が他の障子または前記枠体に突き当たる前に、これらの他の障子または枠体の一部に当接し、これらの他の障子あるいは枠体と前記引き出し把手との間に隙間が生じるようにするストッパが、前記戸先側の縦框に設けられていることを特徴とする請求項１に記載の開口部装置。
【発明の詳細な説明】
【技術分野】
【０００１】
本発明は、引き込み障子、引き分け障子、引き違い障子または片引き障子等のように左右方向に移動可能な障子が枠体内に設けられた開口部装置に関する。
【背景技術】
【０００２】
この種の開口部装置の一つとして、建物の開口部の周りに設けられる上枠、下枠および左右の縦枠からなる枠体と、この枠体内に左右方向に移動可能に設けられた障子と、この障子を引き込み形式で収納する戸袋とを備え、開口部を全開にすることができる全開口型サッシ（全開サッシ）が知られている（例えば、特許文献１参照）。
【０００３】
【特許文献１】特開平６−２６２８６号公報
【発明の開示】
【発明が解決しようとする課題】
【０００４】
しかしながら、このような全開口型サッシにあっては、戸袋に引き込まれている障子を引き出すときに、障子の戸先側の縦框の見込み面が他の障子の縦框の見込み面または障子収納部の出入り口側の縦部分（間柱等）の見込み面と略面一であるので、障子を引き出し難いという問題がある。
【０００５】
本発明は、このような事情に鑑みて為されたもので、障子が戸袋等の障子収納部に収納されていたり、あるいは他の障子と重なっている場合に、この障子を容易に引き出したり、移動させたりすることができる開口部装置を提供することを目的とする。
【課題を解決するための手段】
【０００６】
前記目的を達成するために、請求項１に記載の開口部装置は、枠体と、この枠体内に左右方向に移動可能に設けられた障子とを備え、前記障子の戸先側の縦框には、その見込み面が他の障子の縦框の見込み面または障子収納部を形成する出入り口側の縦部分の見込み面と略面一である場合に、該障子を引き出すための引き出し把手が内蔵されており、この引き出し把手は、係合解除用の操作部の操作により縦框の係合部との係合が解除されて、付勢部材の付勢力により前記見込み面から突出し、該引き出し把手を前記戸先側の縦框から引き出し可能となることを特徴とする。
【０００７】
また、請求項２に記載の開口部装置は、請求項１に記載の発明において、前記引き出し把手が前記戸先側の縦框から引き出されるのに連動して、前記戸先側の縦框から外部に突出し、前記戸先側の縦框が他の障子または前記枠体に突き当たる前に、これらの他の障子または枠体の一部に当接し、これらの他の障子あるいは枠体と前記引き出し把手との間に隙間が生じるようにするストッパが、前記戸先側の縦框に設けられていることを特徴とする。
【発明の効果】
【０００８】
請求項１に記載の開口部装置によれば、障子が戸袋等の障子収納部に収納されていたり、あるいは他の障子と重なっている場合に、係合解除用の操作部を操作すると、引き出し把手が戸先側の縦框の係合部から外れて、付勢部材の付勢力によりこの縦框の見付け面から突出し、引き出し把手をこの縦框から引き出し可能となるので、この把手を用いて、障子を容易に引き出したり、移動させたりすることができる。
【０００９】
また、請求項２に記載の開口部装置によれば、引き出し把手を戸先側の縦框から引き出すと、ストッパが戸先側の縦框から外部に突出し、戸先側の縦框が他の障子または枠体に突き当たる前に、このストッパがこれらの他の障子または枠体の一部に当接して、これらの他の障子あるいは枠体と引き出し把手との間に隙間が生じるので、引き出し把手を持って障子を移動させている人の手の指等が、誤って引き出し把手と他の障子または枠体とで挟まれるのを防止することができる。
【発明を実施するための最良の形態】
【００１０】
以下、添付した図面を参照しながら、本発明の実施の形態を説明する。
図１ないし図４は、本発明の実施の形態に係る両寄せ全開口タイプのサッシを示す図であって、図１は、全開口状態の横断面図であり、図２は、殆ど閉じた状態の横断面図であり、図３は、閉めている状態を室内側から見た図であり、図４は、全閉状態を室内側から見た図である。
【００１１】
このサッシ（開口部装置）は、合掌式に左右に２枚ずつの障子を配置した両寄せ全開タイプ（両引き込みタイプ）のサッシである。このサッシは、建物の開口部に取り付けられる枠体Ａと、この枠体Ａ内に左右方向（水平方向）に移動可能に設けられた左右の外障子（障子）Ｂ、Ｂおよび左右の内障子（障子）Ｃ、Ｃとを備えている。
【００１２】
枠体Ａの内側の左右の側部にはそれぞれ、障子を収納可能な障子収納部（戸袋部ともいう。）Ｄ、Ｄが設けられており、各障子収納部Ｄ、Ｄはそれぞれ、室内側の内側を方立Ｅ、Ｅにより仕切られている。このサッシでは、左右の外障子Ｂ、Ｂおよび内障子Ｃ、Ｃをそれぞれ、左右の障子収納部Ｄ、Ｄに収納することによって、全開状態にすることができるようになっている（図１参照）。なお、各方立Ｅの内側にはそれぞれ、合成樹脂製のアングルeが取り付けられている。
【００１３】
枠体Ａは、上枠１、下枠２および左右の縦枠３、４により方形に組み立てられて構成されている。
【００１４】
外障子Ｂは、上框１１、下框１２および左右の縦框１３、１４により方形の框組体が組み立てられ、この框組体にパネルである複層ガラス１６が組み込まれて構成されている。また、内障子Ｃは、上框２１、下框２２および左右の縦框２３、２４により方形の框組体が組み立てられ、この框組体にパネルである複層ガラス２６が組み込まれて構成されている。
【００１５】
外障子Ｂの戸先側（合掌側）の縦框１３の室内側面には、凹部からなる引き手２７が設けられている。
また、右側の外障子Ｂの戸先側の縦框１３には、引き出し把手３０が内蔵されている。この引き出し把手３０は、図５に示すように、四角枠状に形成されており、ばね（付勢部材）３１により縦框１３の見付け面から外側に突出するように付勢されている。引き出し把手３０には、縦框１３から抜け落ちないように抜け止め部（図示せず）が設けられている。また、この引き出し把手３０には、凹部（係合部）３０ａが設けられており、この凹部３０ａに、縦框１３にピン３２を中心に回動可能に取り付けられた概略Ｌ字状の係合部材３３の突起部からなる係合部３４が係合している。係合部材３３は、ばね（付勢部材）３５により、係合部３４が凹部３０ａに係合するように付勢されている。この係合部材３３は、縦框１３にピン３７を中心に回動可能に取り付けられた概略Ｌ字状の回動部材３８によって押されて、ばね３５の付勢力に抗して、係合部３４が凹部３０ａの係合から外れる方向に回動するようになっている。回動部材３８は、係合部材３３から離れるように、ばね（付勢部材）３９により付勢されている。回動部材３８は、縦框１３にこの縦框１３の見付け面から水平に往復移動可能に設けられた操作部材（操作部）４０をばね３９の付勢力により縦框１３の見付け面側に押している。操作部材４０には、縦框１３から抜け落ちないように抜け止め部（図示せず）が設けられている。
【００１６】
この引き出し把手３０は、使用しないときには、図５に示すように、引き出し把手３０の凹部３０ａに係合部材３３の係合部３４がばね３５の付勢力により係合されていることにより、ばね３１の付勢力に抗して縦框１３内に位置している。また、操作部材４０は、ばね３９の付勢力により回動部材３８で縦框１３の見付け面側に押されている。
【００１７】
他方、引き出し把手３０を使用するときには、操作部材４０を手で押す。そうすると、図６に示すように、操作部材４０により回動部材３８がばね３９の付勢力に抗して押されて回動する。この回動部材３８が回動すると、この回動部材３８により係合部材３３がばね３５の付勢力に抗して押されて回動する。この係合部材３３が回動すると、係合部材３３の係合部３４が引き出し把手３０の凹部３０ａから外れる。そうすると、図７に示すように、引き出し把手４０がばね３１の付勢力により押されて縦框１３の見付け面から外方に突出する。そうすると、この引き出し把手３０を手で持って外障子Ｂを引いて移動させることができる。この場合、引き出し把手４０はばね３１の付勢力により使用状態になるまで縦框１３から完全に出てくる必要は必ずしもない。手で引っ張って縦框１３から引き出せる程度に縦框１３の見付け面から突出すればよい。もちろん、ばね３１の付勢力により使用状態になるまで縦框１３から出てくるようにしてもよい。なお、係合部材３３の係合部３４が引き出し把手３０の凹部３０ａから外れた後には、操作部材４０から手を離すと、操作部材４０はばね３９の付勢力により回動部材３８に押されて、元の位置に復帰する。
【００１８】
この引き出し把手３０を使用した後は、この引き出し把手３０を縦框１３内に押し込む。そうすると、引き出し把手３０の凹部３０ａに係合部材３３の係合部３４がばね３５の付勢力により係合し、縦框１３内に収容される。
【００１９】
このように構成されたサッシにあっては、図１に示すように、外障子Ｂおよび内障子Ｃが開けられて、障子収納部Ｄに収容されている場合に、外障子Ｂを閉めようとすると、外障子Ｂと内障子Ｃとが重なっており、外障子Ｂの戸先側（合掌側）の縦框１３の見込み面と、内障子Ｃの召合せ側の縦框２４の見込み面と略面一になっているので、引き手２７を用いて外障子Ｂを引き出すことができない。こういう場合に、操作部材４０を押して、引き出し把手３０を縦框１３の見込み面から突出させて、この引き出し把手３０を用いて、引き手２７が露出して使用できるようになるまで、外障子Ｂを引き出し、その後引き手２７により外障子Ｂを閉めてゆく。なお、外障子Ｂを閉めて行くと、外障子Ｂの煙返しｂと内障子Ｃの煙返しｃとが係合し、内障子Ｃが外障子Ｂとともに移動して閉まって行く。このように、このサッシにあっては、全開時から外障子Ｂを閉める際に、障子収納部Ｄから容易に外障子Ｂを引き出すことができる。
なお、他方の外障子Ｂにも同様に、操作部材４０を押すことにより突出する引き出し把手３を設けることができる。
【００２０】
図８は、上述の操作部材４０を押すことにより、縦框１３の見込み面から突出する引き出し把手３０に加えて、指挟み防止のためのストッパ５０を設けた例を示す図である。なお、図８においては、引き出し把手３０以外の操作部材４０等は省略している。
【００２１】
ストッパ５０は、略直線状のもので、引き出し把手３０の引き出し側の縦枠３０ｃに、その中間部がピン５１により回動可能に取り付けられている。その一端部にはローラ５２が正逆回転可能に固定されており、他端部には、当接部５３が設けられている。縦框１３には、ローラ５２が転動する垂直面（転動面）１３ｃが設けられている。縦ストッパ５０は水平状態になるようにばね（付勢部材）５４により付勢されているとともに、ストッパ５０が水平状態よりもそれ以上回動しないように規制する部材（図示せず）がストッパ５０に設けられている。なお、ローラ５２やばね５４が見えないように、引き出し把手３０に目隠しプレート５５を設けるようにしてもよい。
【００２２】
このストッパ５０は、引き出し把手３０が戸先側の縦框１３から引き出されてくると、ばね５４の付勢力によりストッパ５０が垂直状態から徐々に回動して水平状態に移行し、引き出し把手３０が完全に引き出されたときには、ストッパ５０は水平状態になる。ストッパ５０は回動するときに、ローラ５２が縦框１３の垂直面１３ｃ上を転動する。ストッパ５０が水平状態になっていると、戸先側の縦框１３が他方の外障子Ｂの戸先側の縦框１３と突き当たる前に、ストッパ５０の当接部５３が他方の縦框１３と当接するので、引き出し把手３０と他方の縦框１３との間に隙間が生じるため、引き出し把手３０を手で持ったままであっても、引き出し把手３０と他方の縦框１３との間に指が挟まれるのを防止することができる。
【００２３】
引き出し把手３０を縦框１３に収納する場合には、ストッパ５０をばね５４の付勢力に抗して少し回動させた後、引き出し把手３０を押し込むと、引き出し把手３０が縦框１３に収容されて行くにつれて、ストッパ５０のローラ５２が縦框１３の垂直面１３ｃによって押されて、下方に移動してゆき、ストッパ５０がばね５４の付勢力に抗して回動して、垂直状態になって行く。
【００２４】
なお、ストッパ５０をばね５４の付勢力に抗して回動させて、垂直状態にしてゆくことによって、引き出し把手３０を収納することもできる。また、ストッパ５０をばね５４の付勢力に抗して少し回動させた後、引き手２７により外障子Ｂを閉めて行きようにしてもよい。こうすると、ストッパ５０の当接部５３が他方の外障子Ｂの縦框１３によって押されて、垂直状態になってゆき、これに連動して引き出し把手３０が縦框１３内に収容されてゆく。
【００２５】
なお、上述の実施の形態では、引き出し把手３０を引き出すのと連動してストッパ５０を水平状態にするために、ローラ５２と垂直面１３ｃを用いたが、これに代えて、ストッパを縦框１３に回動可能に設け、このストッパを引き出し把手３０とリンク機構で連結し、このリンク機構により引き出し把手３０の引き出されるのに連動して、ストッパが水平状態になるようにしてもよい。
【００２６】
図９ないし図１１は、図８の構成に加えてさらに、ストッパ５０の水平状態を解除する機能を設けた例を示す図である。これらの図においても、引き出し把手３０以外の操作部材４０等は省略している。
【００２７】
この例では、引き出し把手３０は、コ字状に形成されており、両端部にそれぞれ抜け止め部３０ｄ、３０ｄが設けられている。また、ストッパ５０には、ローラ５２のさらに先に係合部５０ｄが設けられている。この係合部５０ｄは、縦框１３内に取り付けられる内臓ケース６１に縦溝６２内に挿入され、ローラ５２は縦溝６２の両側の垂直面６３上を転動するようになっている。
【００２８】
このストッパ５０は、凹部からなる引き手２７に設けられた操作部材６５によって水平状態（ストッパ作動状態）を解除できるようになっている。すなわち、操作部材６５は、付勢部材（図示せず）の付勢力に抗して押し込むと、操作部材６５の傾斜部６５ａと係合部材６６の傾斜部６６ａとの当接によって係合部材６６が下降し、この係合部材６６の下降によって、係合部材６６の係合部６６ｂに係合しているストッパ５０の係合部５０ｄが下側に押され、これによりストッパ５０がばね５４の付勢力に抗して少し回動する。このようにストッパ５０が少し回動した状態になると、その後は引き手２７により外障子Ｂを閉めて行くと、ストッパ５０の当接部５３が他方の外障子Ｂの縦框１３によって押されて、垂直状態になってゆき、これに連動して引き出し把手３０が縦框１３内に収容されてゆく。
【００２９】
図１２ないし図１４は、本発明の他の実施の形態を示す図である。
本実施の形態では、引き出し把手７０が回動して、外障子Ｂの戸先側の縦框１３の見込み面から突出し、引き出し把手７０をこの縦框１３から引き出し可能となるようになっている。
すなわち、この引き出し把手７０は、概略Ｌ状に形成されて、縦框１３内に内蔵されており、引き出し把手７０の操作部７０ａを押すことにより、縦框１３の係合部（図示せず）との係合が解除されて、ばね（付勢部材）７２の付勢力によりピン７３を中心に回動し、く字状の握り部７０ｂが縦框１３の見込み面から少し突出するようになっている。
【００３０】
一方、引き出し把手７０の短片部７０ｄには、長穴（係合部）７０ｅが形成されており、この長穴７０ｅにストッパ８０の屈曲部（係合部）８０ａが挿入されている。屈曲部８１は、く字状の握り部７０ｂが縦框１３の見込み面から少し突出した状態ではまだ長穴７０ｅに係合せず、したがってストッパ８０は移動しないようになっている。ストッパ８０は長尺の棒状に形成されて上方に延びており、上下移動可能となっている。このストッパ８０は、ばね（付勢部材）８２により下方に向けて付勢されている。ストッパ８０の上端部には、ローラ８３が取り付けられている。ストッパ８０は、引き出し把手７０が縦框１３の見込み面から突出して回動すると、屈曲部８０ａが長穴７０ｅにより上方に押されて、上端部が縦框１３の上端から上方に突出し、枠体Ａの上枠１に設けたストッパ部８５に当接し、外障子Ｂがそれ以上閉まらなくなるようになっている。
【００３１】
この引き出し把手７０は、使用しないときには、縦框１３の係合部に係合されて、図１２に示すように、縦框１３内に位置している。このとき、ストッパ８は縦框１３内に位置している。
【００３２】
他方、引き出し把手７０を使用するときには、操作部７０ａを手で押す。そうすると、図１３に示すように、縦框１３の係合部との係合が解除されて、ばね７２の付勢力により引き出し把手７０がピン７３を中心に回動し、く字状の握り部７０ｂが縦框１３の見込み面から少し突出する。その後、握り部７０ｂのうちの折曲している指掛け部７０ｃに指をかけてさらに引き出し把手７０を回動させる。そうすると、図１４に示すように、ストッパ８０の屈曲部８０ａが長穴７０ｅにより上方に押されて、上端部が縦框１３の上端から上方に突出する。その後、この引き出し把手７０を手で持って外障子Ｂを引いて移動させることができる。
【００３３】
この引き出し把手７０を使用した後は、この引き出し把手７０を回動させて、縦框１３内に押し込む。そうすると、引き出し把手７０が縦框１３の係合部に係合し、縦框１３内に収容される。このとき、ストッパ８０の屈曲部８０ａが長穴７０ｅにより下方に押されて、上端部が縦框１３内に位置する。
【００３４】
このように構成されたサッシにあっては、図１に示すように、引き手２７を用いて外障子Ｂを引き出すことができない場合に、操作部７０ａを押して、引き出し把手７０を縦框１３の見込み面から突出させ、この引き出し把手７０を用いて、引き手２７が露出して使用できるようになるまで、外障子Ｂを引き出し、その後引き手２７により外障子Ｂを閉めてゆくことができるので、全開時から外障子Ｂを閉める際に、障子収納部Ｄから容易に外障子Ｂを引き出すことができる。
【００３５】
また、引き出し把手７０を回動させて、戸先側の縦框１３から引き出すと、ストッパ８０の上端部がこの縦框１３の上端から上方に突出する。ストッパ８０の上端部が上方に突出していると、戸先側の縦框１３が他方の外障子Ｂの戸先側の縦框１３と突き当たる前に、ストッパ８０の上端部（当接部）が上枠１のストッパ部８５と当接するので、引き出し把手７０と他方の縦框１３との間に隙間が生じるため、引き出し把手７０を手で持ったままであっても、引き出し把手７０と他方の縦框１３との間に指が挟まれるのを防止することができる。
【００３６】
なお、上述の実施の形態では、ストッパ８０を上方に突出させて、上枠１のストッパ部８５に当接するようにしたが、これに代えて、枠体Ａの下枠２など他の部分に当接させるようにしてもよい。
【００３７】
また、上述の各実施の形態では、本発明を両寄せ全開口タイプのサッシに適用した場合について説明したが、本発明はこれに限らず、引き分け障子、引き違い障子または片引き障子等のように左右方向に移動可能な障子が枠体内に設けられたサッシなどにも適用できる。例えば、引き違いサッシにおいて、障子が重なっており、両障子の縦框の見付け面がほぼ面一になって場合などにも、本発明に係る引き出し把手を用いて、障子を容易に移動させることができる。また、障子と枠体とが突き当たる場合に、本発明に係るストッパを用いて、指挟みを防止することができる。
【００３８】
また、上述の各実施の形態では、本発明を両寄せ全開口タイプ（両引き込みタイプ）のサッシに適用した場合について説明したが、これに限らず、図１５および図１６に示すように、本発明を片引きタイプのサッシにも適用することができる。
【図面の簡単な説明】
【００３９】
【図１】本発明の実施の形態に係る両寄せ全開口タイプのサッシを示す図であって、全開口状態の横断面図である。
【図２】同、殆ど閉じた状態の横断面図である。
【図３】同、閉めている状態を室内側から見た図である。
【図４】同、全閉状態を室内側から見た図である。
【図５】同、収納状態の引き出し把手を示す図である。
【図６】同、操作部材を押した状態の引き出し把手を示す図である。
【図７】同、縦框の見込み面から少し突出した状態の引き出し把手を示す図である。
【図８】引き出し把手に連動する指挟み防止のためのストッパを設けた例を示す図である。
【図９】引き手部でストッパの水平状態を解除する機能を設けた例を示す図である。
【図１０】同、ストッパと内蔵ケースとを示す斜視図である。
【図１１】同、ストッパの側面図である。
【図１２】本発明の他の実施の形態を示す図であって、収納状態の引き出し把手を示す図である。
【図１３】同、縦框の見込み面から少し突出した状態の引き出し把手を示す図である
【図１４】同、引き出し把手に連動してストッパが上方に突出した状態を示す図である。
【図１５】本発明の実施の形態に係る片引き全開口タイプのサッシを示す図であって、閉めている状態を室内側から見た図である。
【図１６】同、全閉状態を室内側から見た図である
【符号の説明】
【００４０】
Ａ    枠体
Ｂ    外障子（障子）
Ｃ    内障子（障子）
Ｄ    障子収容部
Ｅ    方立
１３、２３    縦枠
３０、７０    引き出し把手
３０ａ    凹部（係合部）
３１、７２    ばね（付勢部材）
３４    係合部
４０    操作部材（操作部）
５０、８０    ストッパ
７０ａ    操作部
【図１】
2006265921.tif 000003
【図２】
2006265921.tif 000004
【図３】
2006265921.tif 000005
【図４】
2006265921.tif 000006
【図５】
2006265921.tif 000007
【図６】
2006265921.tif 000008
【図７】
2006265921.tif 000009
【図８】
2006265921.tif 000010
【図９】
2006265921.tif 000011
【図１０】
2006265921.tif 000012
【図１１】
2006265921.tif 000013
【図１２】
2006265921.tif 000014
【図１３】
2006265921.tif 000015
【図１４】
2006265921.tif 000016
【図１５】
2006265921.tif 000017
【図１６】
2006265921.tif 000018